(57)【要約】      （修正有）【課題】頭部の額近辺と頭頂近辺の双方を冷却可能で、かつ装着感の良好な帽子を提供する。【解決手段】帽子を、帽子本体１０と、冷却ベルト２０と、冷却パッド３０と、から構成する。帽子本体１０のクラウン１１内面の頭頂に対応する箇所にはポケットが設けられ、ここに冷却パッド３０を出し入れ可能とする。クラウン１１内面の額に対応する箇所に本体側面ファスナ部を設け、ここに冷却ベルト２０を着脱自在とする。冷却ベルト２０とパッド３０は、高吸水性繊維でできており、吸収した水の気化熱により、それぞれ頭部の額近辺および頭頂近辺の熱を奪って冷却する。頭頂に接触する部分に面ファスナを用いていないため、面ファスナ特有のゴワゴワした感触がなく、装着感も良好である。【選択図】図１
0003166795.tif 000002
【実用新案登録請求の範囲】
【請求項１】
帽子本体と、冷却ベルトと、冷却パッドと、からなる帽子であって、
前記帽子本体は、
頭部を被覆するクラウンと、
前記クラウン内面の頭頂に対応する箇所に設けられたポケットと、
前記クラウン内面の開口縁に沿って額に対応する箇所に取り付けられた本体側面ファスナ部と、を有し、
前記冷却ベルトは、
高吸水性繊維を含むベルト本体と、
ベルト本体の片面に取り付けられたベルト側面ファスナ部と、を有して、
前記ベルト側面ファスナ部により、前記帽子本体の本体側面ファスナ部に着脱自在であり、
前記ベルト本体の高吸水性繊維が吸収した水の気化熱により、頭部の額近辺の熱を奪って冷却可能であり、
前記冷却パッドは、
高吸水性繊維を含むパッド本体と、
前記パッド本体を包むメッシュカバーと、を有して、
前記帽子本体のポケットに出し入れ可能であり、
前記パッド本体の高吸水性繊維が吸収した水の気化熱により、頭部の頭頂近辺の熱を奪って冷却可能である帽子。
【請求項２】
前記冷却パッドのメッシュカバーは、速乾性繊維を含む請求項１に記載の帽子。
【請求項３】
前記帽子本体のクラウンは、防水透湿素材よりなる請求項１または２に記載の帽子。
【請求項４】
前記高吸水性繊維は、ポリアクリル酸ナトリウム塩を主成分とするポリマーを紡糸してなる請求項１から３のいずれかに記載の帽子。
【請求項５】
前記帽子本体のクラウンは、通気孔を有する請求項１から４のいずれかに記載の帽子。
【考案の詳細な説明】
【技術分野】
【０００１】
本考案は、頭部の冷却機能を有する帽子に関する。
【背景技術】
【０００２】
炎天下での屋外作業の際に、熱中症や日射病にならないように頭部体温の上昇を抑制するものとして、日差しを遮るだけでなく積極的に頭部を冷却する機能を有する帽子が知られている。
【０００３】
そのような帽子の例として、特許文献１のように、吸水性を有する高分子繊維からなる不織布を封入したベルト型の冷却パック（以下、冷却ベルトという）を、面ファスナにより帽子本体の内面の額に対応する箇所に着脱自在としたものがある。
【０００４】
かかる冷却ベルトに水を含ませておくと、その水が蒸発する際の気化熱により体温が奪われて、頭部の主として額近辺が冷却されることになる。
冷却ベルトは帽子本体に対して着脱自在であるため、取り外して水に浸したり洗濯したりすることが容易である。
【０００５】
このように特許文献１の帽子は、頭部の額近辺を冷却する点においては、特に不都合の見当たらないものである。
もっとも、頭部の中でとくに日差しの影響を受けやすく、また体温が上がりやすいのは頭頂近辺であるため、額近辺のみならず頭頂近辺を簡単に冷却できる方策が望まれるところである。
【０００６】
そこで帽子本体内面の頭頂に対応する箇所に、面ファスナを用いて冷却パックを着脱自在とすることも想定できうる。
しかし、一般に面ファスナは、その固着機能が短期間で損耗しないように、比較的硬質な材質で作製されている。そのため、額近辺よりも広範囲な頭頂近辺に接触する箇所に面ファスナを用いるとなると、帽子を装着した際のいわゆるゴワゴワした感触が顕著となって、装着感が大きく低下してしまう。
【先行技術文献】
【特許文献】
【０００７】
【特許文献１】実用新案登録第３０６６６４１号公報
【考案の概要】
【考案が解決しようとする課題】
【０００８】
本考案の解決すべき課題は、頭部の額近辺と頭頂近辺の双方を冷却可能で、かつ装着感の良好な帽子を提供することである。
【課題を解決するための手段】
【０００９】
上記した課題を解決するため、本考案にかかる帽子を、帽子本体と、冷却ベルトと、冷却パッドと、からなるものとしたのである。
【００１０】
ここで、前記帽子本体は、頭部を被覆するクラウンと、前記クラウン内面の頭頂に対応する箇所に設けられたポケットと、前記クラウン内面の開口縁に沿って額に対応する箇所に取り付けられた本体側面ファスナ部と、を有する構成を採用する。
【００１１】
また、前記冷却ベルトは、高吸水性繊維を含むベルト本体と、ベルト本体の片面に取り付けられたベルト側面ファスナ部と、を有する構成を採用する。
そして冷却ベルトは、前記ベルト側面ファスナ部により、前記帽子本体の本体側面ファスナ部に着脱自在であり、前記ベルト本体の高吸水性繊維が吸収した水の気化熱により、頭部の額近辺の熱を奪って冷却可能であるものとする。
【００１２】
さらに、前記冷却パッドは、高吸水性繊維を含むパッド本体と、前記パッド本体を包むメッシュカバーと、を有する構成を採用する。
そして冷却パッドは、前記帽子本体のポケットに出し入れ可能であり、前記パッド本体の高吸水性繊維が吸収した水の気化熱により、頭部の頭頂近辺の熱を奪って冷却可能であるものとする。
【００１３】
前記冷却パッドのメッシュカバーは、速乾性繊維を含むのが好ましい。このようにすると、パッド本体に吸収された水が接触するメッシュカバーによって気化することが促進され、気化熱による冷却効率がいっそう向上する。
【００１４】
前記帽子本体のクラウンは、防水透湿素材よりなるのが好ましい。このようにすると、冷却ベルトや冷却パッドに含まれた水によりクラウンが濡れるのが抑制され、かつ気化蒸発した水は生地を通過できるため、クラウンの中が蒸れることなどが抑制される。クラウンに通気孔を設けると、蒸れは一層抑制される。
【考案の効果】
【００１５】
考案にかかる帽子を以上のように構成したので、頭部の額近辺と頭頂近辺の双方を冷却可能である。
また、頭頂に接触する部分に面ファスナを用いていないため、面ファスナ特有のゴワゴワした感触がなく、装着感も良好である。
【図面の簡単な説明】
【００１６】
【図１】（ａ）は帽子の斜視図、（ｂ）は冷却ベルトの斜視図、（ｃ）は冷却パッドの一部切り欠き斜視図
【図２】帽子の下面斜視図
【図３】帽子のクラウン近辺の縦断面図
【図４】帽子本体のポケットの拡大斜視図
【考案を実施するための形態】
【００１７】
以下、図面を参照しつつこの考案の実施形態について説明する。
図１から図４に示す実施形態の帽子１は、帽子本体１０と、冷却ベルト２０と、冷却パッド３０と、から構成されており、通常の帽子と同様の使用態様で使用される。
【００１８】
図１（ａ）および図２のように、帽子本体１０は、クラウン１１と、鍔１２と、ポケット１３と、本体側面ファスナ部１４と、首紐１５と、から構成されている。
【００１９】
図１（ａ）のように、頭部を被覆するためのクラウン１１は、ドーム型をなしており、その底部開口の周縁の全周には、鍔１２が設けられている。これにより、帽子本体１０は、いわゆるサファリ帽型の外観を呈している。
クラウン１１と鍔１２とは一体に縫製されており、その生地としては、防水性や撥水性に優れ、透湿性にも優れた公知の素材が選択されている。その具体例としては、デルフィ、キューダス（ともに登録商標）が挙げられる。
また、クラウン１１の側面には、左右にそれぞれ２つずつ、貫通する通気孔１１ａが設けられている。
【００２０】
図１（ｂ）のように、冷却ベルト２０は、ベルト本体２１と、ベルト側面ファスナ部２２と、から構成されている。
【００２１】
布製で帯状のベルト本体２１は、その内部に吸水性に優れた公知の繊維束が封入されている。このような高吸水性繊維の具体例としては、ポリアクリル酸ナトリウム塩を主成分とするポリマーを紡糸してなるベルオアシス（登録商標）が挙げられる。
【００２２】
ベルト本体２１の片面には、長方形の３つの面ファスナ（たとえば雄ファスナ）が縫い付けられるなどして固定されて、ベルト側面ファスナ部２２が構成されている。
図示のように、これら面ファスナは、ベルト本体の長手方向の両端部と中央部にそれぞれ配置されている。
【００２３】
図１（ｃ）のように、冷却パッド３０は、メッシュカバー３１と、パッド本体３２と、から構成される。
【００２４】
メッシュカバー３１は、平面視が円形の扁平な袋体であり、多孔構造（メッシュ構造）に編成されて通気性に優れている。
またその生地としては、速乾性、吸水性に優れたものが選択されている。その具体例としては、異形断面の繊維であるクールマックス（登録商標）が挙げられる。
【００２５】
パッド本体３２は、ベルト本体２１と同様に、吸水性に優れた公知の繊維束または不織布からなり、これを裁断などにより平面視円形に形を整えたものである。このような高吸水性繊維の具体例としては、ポリアクリル酸ナトリウム塩を主成分とするポリマーを紡糸してなるベルオアシス（登録商標）が挙げられる。
【００２６】
次に図２および図３のように、帽子本体１０のクラウン１１の内周面においては、頭部の頭頂に対応する箇所にポケット１３が設けられている。
【００２７】
同図および図４のように、ポケット１３は、平面視が円形の扁平な袋体であり、通気性に優れたメッシュ生地をクラウン１１の頭頂に対応する個所の内面に縫い付けることにより作製されている。
ポケット１３は、その中央部に開口１３ａを有し、図４のようにこの開口１３ａを通じて冷却パッド３０を出し入れ可能となっている。
また、その開口１３ａは、図示のような面ファスナ等の適宜手段により開放および閉塞可能となっている。そのため、図３のようにポケット１３に冷却パッド３０を収納した状態で開口１３ａを閉じると、冷却パッド３０が開口１３ａから飛び出ることがない。
【００２８】
さらに図２のように、帽子本体１０のクラウン１１の内周面においては、頭部の額に対応する箇所に周方向に間隔をあけて３つの面ファスナ（たとえば雌ファスナ）が縫い付けられるなどして並列に固定されて、本体側面ファスナ部１４が構成されている。
【００２９】
本体側面ファスナ部１４の面ファスナ相互の間隔は、ベルト側面ファスナ部２２の面ファスナ相互の間隔とほぼ等しく、これにより同図のように、本体側面ファスナ部１４に冷却ベルト２０が着脱自在となっている。
【００３０】
また図２のように、帽子本体１０には、首紐１５が取り付けられている。首紐１５にはスライダが付属しており、これをスライド操作することで長さを調節することが可能となっている。
【００３１】
実施形態の帽子１の構成は以上のようであり、その使用時には、まず冷却ベルト２０および冷却パッド３０を水に浸して十分に吸水保水させた後、帽子本体１０のポケット１３に冷却パッド３０を収納し、本体側面ファスナ部１４に冷却ベルト２０を取り付けて、頭にかぶる。
【００３２】
帽子１を頭にかぶった状態で、冷却ベルト２０および冷却パッド３０の水が徐々に気化してゆくため、冷却ベルト２０が対向する額近辺および冷却パッド３０が対向する頭頂近辺から体温が奪われてゆき、冷やされることになる。
そのため、炎天下などの極めて暑い状況においても、日射病や熱中症のリスクを軽減でき、屋外作業やスポーツなどを快適におこなうことができる。
【００３３】
特に冷却パッド３０においては、パッド本体３２の水がこれに接触している速乾性に優れた素材からなるメッシュカバー３１を通じて、すみやかに気化してゆくため、その相乗効果により冷却機能は顕著である。
ここで、帽子本体１０は防水性、撥水性に優れているため、冷却ベルト２０や冷却パッド３０が含んだ水が滲んだり全体が濡れたりすることが防止されている。これと同時に、帽子本体１０は透湿性を有し、またそのクラウン１１には通気孔１１ａが設けられているため、冷却ベルト２０や冷却パッド３０から排出された水蒸気が帽子の内部に充満することがなく、蒸れが防止されている。
【００３４】
帽子１をかぶった状態で首紐１５を体にかけておくと、自転車等に乗った際にも帽子１が風圧等で脱げることが防止される。
また、帽子本体１０を折り畳んでコンパクトに収納することができる。帽子本体１０は防水撥水性を有するため、帽子本体１０が冷却ベルト２０や冷却パッド３０を包むように折り畳んでバッグに収納すれば、バッグが濡れることもない。
【００３５】
以上の実施形態では、帽子本体１０をサファリ帽型としたが、その形式は特に限定されることはない。たとえば、クラウン１１の正面側にのみ鍔１２があるような形式でもよいし、鍔なしでもよい。またクラウン１１の形状は、ドーム型に限られず、たとえば円筒型としてもよい。首紐１５は省略可能である。
【００３６】
帽子本体１０のポケット１３および冷却パッドの形状は、実施形態の平面視円形に限定されず、たとえば平面視長円形、楕円形、多角形などでもよい。本体側面ファスナ部１４およびベルト側面ファスナ部２２に用いられる面ファスナの数も特に限定されない。
【符号の説明】
【００３７】
１  帽子
１０  帽子本体
１１  クラウン
１１ａ  通気孔
１２  鍔
１３  ポケット
１３ａ  開口
１４  本体側面ファスナ部
１５  首紐
２０  冷却ベルト
２１  ベルト本体
２２  ベルト側面ファスナ部
３０  冷却パッド
３１  メッシュカバー
３２  パッド本体
【図１】
0003166795.tif 000003
【図２】
0003166795.tif 000004
【図３】
0003166795.tif 000005
【図４】
0003166795.tif 000006